(57)【要約】【課題】果樹カメムシ類の捕獲効率が高く、短時間で多量の果樹カメムシ類を捕獲できると共に回収できる果樹カメムシ類の捕獲器を提供する。【解決手段】果樹カメムシ類の捕獲器１は、果樹カメムシ類を集合フェロモン剤７０によって誘引するカメムシ誘引部２と、果樹カメムシ類を捕獲するカメムシ捕獲部３とを備え、カメムシ捕獲部３がカメムシ誘引部２の上側に配置されており、捕獲器１は、果樹カメムシ類が移動する経路の表面に凹凸加工が施されている。カメムシ誘引部３は、複数のスカート板１１，１１…を組み立てて構成されることが好ましい。カメムシ捕獲部３は、誘引された果樹カメムシ類を集中させる漏斗部４と、集中された果樹カメムシ類を捕獲する容器部５とを備えており、容器部５は漏斗部４に着脱可能に構成されることが好ましい。【選択図】図１
2008161090.tif 000002
【特許請求の範囲】
【請求項１】
果樹カメムシ類を集合フェロモンによって誘引するカメムシ誘引部と、果樹カメムシ類を捕獲するカメムシ捕獲部とを備え、該カメムシ捕獲部が前記カメムシ誘引部の上側に配置されている果樹カメムシ類の捕獲器であって、
前記捕獲器は、果樹カメムシ類が移動する経路に沿って凹凸加工が施されていることを特徴とする果樹カメムシ類の捕獲器。
【請求項２】
果樹カメムシ類を集合フェロモンによって誘引するカメムシ誘引部と、果樹カメムシ類を捕獲するカメムシ捕獲部とを備え、該カメムシ捕獲部が前記カメムシ誘引部の上側に配置されている果樹カメムシ類の捕獲器であって、
前記カメムシ誘引部は、複数のスカート板を組み立てて構成されることを特徴とする果樹カメムシ類の捕獲器。
【請求項３】
果樹カメムシ類を集合フェロモンによって誘引するカメムシ誘引部と、果樹カメムシ類を捕獲するカメムシ捕獲部とを備え、該カメムシ捕獲部が前記カメムシ誘引部の上側に配置されている果樹カメムシ類の捕獲器であって、
前記カメムシ捕獲部は、誘引された果樹カメムシ類を集中させる漏斗部と、集中された果樹カメムシ類を捕獲する容器部とを備えており、該容器部は前記漏斗部に着脱可能に構成されることを特徴とする果樹カメムシ類の捕獲器。
【請求項４】
前記カメムシ捕獲部は、通気用の多数の開口を有していることを特徴とする請求項１〜３のいずれかに記載の果樹カメムシ類の捕獲器。
【請求項５】
前記捕獲器は、透光性を有する材質で形成されることを特徴とする請求項１〜４のいずれかに記載の果樹カメムシ類の捕獲器。
【請求項６】
前記容器部は、捕獲された果樹カメムシ類を回収する開口を有するとともに、該開口を閉塞する蓋部とを備えており、該蓋部は前記容器部に係止されることを特徴とする請求項３〜５のいずれかに記載の果樹カメムシ類の捕獲器。
【請求項７】
前記容器部は、透明な材質で形成されていることを特徴とする請求項３〜６のいずれかに記載の果樹カメムシ類の捕獲器。
【発明の詳細な説明】
【技術分野】
【０００１】
本発明は、誘引フェロモンによって果樹カメムシ類を誘引、捕獲する果樹カメムシ類の捕獲器に係り、特に、短時間で効率良く果樹カメムシ類を捕獲できると共に、組立、設置が容易であり、保守管理も容易である果樹カメムシ類の捕獲器に関する。
【背景技術】
【０００２】
果樹カメムシ類は果樹園で繁殖せず、針葉樹地帯等から果樹園に移動・侵入してくる典型的な飛来性害虫である。果樹カメムシ類は、例えば昭和４８年に全国的に大発生し、以後、甚大な果実被害を繰り返し引き起こしている。チャバネアオカメムシ、クサギカメムシ、ツヤアオカメムシを主体とし、現在、果樹害虫のなかでも最も重要な一群である。これらのカメムシは成虫で越冬して翌春の発生源となり、翌春から翌夏の初めにかけて各種の果樹等に被害を与え、翌夏の初めからは新成虫が発生し、この新成虫が越冬する。
【０００３】
このような生態を有する果樹カメムシ類は雄成虫が放出する集合フェロモンによって雄成虫および雌成虫がともに誘引されることが確認されている。また、集合フェロモンは雌成虫を呼び寄せるのみに用いられるものでなく、他の成虫にエサ場を教えるためにも用いられるものであることが確認されている。そして、果樹カメムシ類は飛来性害虫であるため、飛来時期や量を予め把握することは防除上きわめて有効であり、それを可能とする広域に設置でき、扱いが簡易な発生予察用の捕獲器の開発が望まれている。
【０００４】
従来、この種の捕獲器としては、誘殺灯や水盤式昆虫捕獲器が使用されている。誘殺灯は１００Ｗ水銀灯などの光を誘引源とし、落下した個体が漏斗状の器具を通過して大型容器内に捕獲される。カメムシに限らず走光性をもつ多くの種類の夜行性害虫が対象である。また、水盤式昆虫捕獲器は人工合成したチャバネアオカメムシ集合フェロモンの含有ルアーを誘引源とする。誘引されたカメムシ類が水を張った容器内に落ちて溺死することで捕獲されるものである。
【０００５】
また、従来の果樹カメムシを捕獲する捕獲器として、本願出願人の出願に係る乾式トラップがある。この乾式トラップは、果樹カメムシ類を集合フェロモンによって誘い込むカメムシ誘引部と、カメムシを捕獲するカメムシ捕獲部とからなり、カメムシ捕獲部はカメムシ誘引部の上側に配置されている。そして、カメムシ誘引部はその内側に集合フェロモンを配設するとともに、カメムシ誘引部に集合フェロモンを放出する穴若しくはスリットを有している（例えば、特許文献１参照）。
【特許文献１】特開２００２−１２５５６４号公報
【発明の開示】
【発明が解決しようとする課題】
【０００６】
ところで、前記の誘殺灯は、電源設備やコンクリート等による基礎工事を必要とし、設置場所が限定されるという問題点がある。また、水盤式昆虫捕獲器はタライ等の容器内の水量が減少すると捕獲効率が急速に減少するため頻繁な水の補給が必要であり、捕獲された昆虫等の腐敗等により水が濁るため、定期的な水の交換が必要であるなど、取り扱いが煩雑であり、広域に多数設置することが困難であった。
【０００７】
前記特許文献１に記載の乾式トラップは、果樹カメムシの捕獲効率が高く、しかも天敵昆虫を捕獲することなく果樹カメムシのみを捕獲し、果樹カメムシの発生調査・予察を容易、かつ的確に行うことができるという優れた効果を有するものであるが、捕獲効率をさらに高めることや、短時間で多量に捕獲することが要求されている。そして、設置や移動が容易で取り扱いが簡易な捕獲器が要求されている。
【０００８】
本発明は、このような問題に鑑みてなされたものであって、その目的とするところは、果樹カメムシ類の捕獲効率が高く、短時間で多量の果樹カメムシ類を捕獲できる果樹カメムシ類の捕獲器を提供することにある。また、組立、設置が容易であり、取り扱いが簡易な果樹カメムシ類の捕獲器を提供することにある。
【課題を解決するための手段】
【０００９】
本発明者らは、果樹カメムシ類の生態や挙動につき鋭意研究を重ねた結果、以下の特徴を有する本発明を完成させるに至った。すなわち、前記目的を達成すべく、本発明に係る果樹カメムシ類の捕獲器は、果樹カメムシ類を集合フェロモンによって誘引するカメムシ誘引部と、果樹カメムシ類を捕獲するカメムシ捕獲部とを備え、該カメムシ捕獲部が前記カメムシ誘引部の上側に配置されており、この捕獲器は、果樹カメムシ類が移動する経路に沿って凹凸加工が施されていることを特徴とする。前記の凹凸加工とは、表面粗さが３〜４μｍ程度の処理加工が好ましい。
【００１０】
前記のごとく構成された本発明の果樹カメムシ類の捕獲器では、集合フェロモンによって誘引された果樹カメムシ類はカメムシ誘引部から、その上側に配置されたカメムシ捕獲部に向かって上昇移動するが、この捕獲器は果樹カメムシ類が移動する経路に沿って凹凸加工が施されているため、果樹カメムシ類は集合フェロモンによって誘引されたあと、落下することなく上昇移動でき、上側のカメムシ捕獲部に導かれる。このため、短時間で多量の果樹カメムシ類を捕獲することができる。また、天敵昆虫を殆ど捕獲することなく、果樹カメムシ類のみを捕獲することができる。さらに、定期的な水の補給等が不要で、保守管理が容易となる。
【００１１】
本発明に係る果樹カメムシ類の捕獲器の他の態様としては、果樹カメムシ類を集合フェロモンによって誘引するカメムシ誘引部と、果樹カメムシ類を捕獲するカメムシ捕獲部とを備え、該カメムシ捕獲部が前記カメムシ誘引部の上側に配置されており、前記カメムシ誘引部は、複数のスカート板を組み立てて構成されることを特徴としている。このように構成された本発明の果樹カメムシ類の捕獲器では、カメムシ誘引部を構成する複数のスカート板を組み立てることでカメムシ誘引部を構成し、このカメムシ誘引部の上側にカメムシ捕獲部を配置することで容易に捕獲器を組み立てて設置することができる。また、カメムシ誘引部を構成する複数のスカート板は重ねて運ぶことができるため、捕獲器を組み立てる際の搬送や移動が容易となる。
【００１２】
本発明に係る果樹カメムシ類の捕獲器のさらに他の態様としては、果樹カメムシ類を集合フェロモンによって誘引するカメムシ誘引部と、果樹カメムシ類を捕獲するカメムシ捕獲部とを備え、該カメムシ捕獲部が前記カメムシ誘引部の上側に配置されており、前記カメムシ捕獲部は、誘引された果樹カメムシ類を集中させる漏斗部と、集中された果樹カメムシ類を捕獲する容器部とを備えており、該容器部は前記漏斗部に着脱可能に構成されることを特徴としている。このように構成された本発明の果樹カメムシ類の捕獲器では、カメムシ捕獲部の容器部が捕獲器から着脱できるため、捕獲された果樹カメムシ類を短時間で回収することができ、取り扱いが簡易となる。
【００１３】
また、本発明に係る果樹カメムシ類の捕獲器の好ましい具体的な態様としては、前記カメムシ捕獲部は、通気用の多数の開口を有していることを特徴としている。多数の開口としては孔、スリット、隙間等の適宜の形状のものが可能である。このように構成された果樹カメムシ類の捕獲器は、カメムシ捕獲部に設けた多数の開口により通風が確保され、捕獲器内部の温度上昇を防ぐことができる。このため、特に夏季炎天下等の条件での捕獲器内部の温度上昇を防止でき、果樹カメムシ類の移動を妨げず、短時間での捕獲を可能とする。
【００１４】
さらに、本発明に係る果樹カメムシ類の捕獲器の好ましい具体的な他の態様としては、前記捕獲器は、透光性を有する材質で形成されることを特徴としている。前記の透光性とは、光を通すという意味であり、遮光性のように光を遮る性質でなく、光透過性ということもできる。このように構成された果樹カメムシ類の捕獲器は、漏斗部やカメムシ誘引部の内部が明るくなり、果樹カメムシ類は動きが活発となりカメムシ捕獲部に迅速に移動するため、短時間で果樹カメムシ類を捕獲することができる。
【００１５】
前記容器部は、捕獲された果樹カメムシ類を回収する開口を有するとともに、該開口を閉塞する蓋部を備えており、該蓋部は前記容器部に係止されることが好ましい。この構成によれば、果樹カメムシ類を捕獲した容器部の蓋部が、容器部に係止されて開口を塞いでいるため、捕獲された果樹カメムシ類の開口からの脱出を防止することができる。また、前記容器部は、透明な材質で形成されていることが好ましい。この構成によれば、内部に捕獲された果樹カメムシ類の捕獲量を容易に知ることができる。
【発明の効果】
【００１６】
本発明の果樹カメムシ類の捕獲器は、害虫である果樹カメムシ類を短時間で効率良く捕獲することができる。また、本発明の果樹カメムシ類の捕獲器は、カメムシ誘引部が複数のスカート板を組み立てて構成されるため組立が容易に行え、複数のスカート板は重ねて搬送できるため設置作業が容易となる。さらに、捕獲された果樹カメムシ類の回収が短時間で行える。
【発明を実施するための最良の形態】
【００１７】
以下、本発明に係る果樹カメムシ類の捕獲器の一実施形態を図面に基づき詳細に説明する。図１は、本実施形態に係る果樹カメムシ類の捕獲器を示す概略斜視図、図２は図１の捕獲器の要部を分解した斜視図、図３は図１の捕獲器の中央縦断面図、図４はスカート板の組立状態を示す要部斜視図、図５は捕獲器の使用状態を示す斜視図である。
【００１８】
図１〜５において、本実施形態の果樹カメムシ類の捕獲器１は、果樹カメムシ類を集合フェロモンによって誘引するカメムシ誘引部２と、果樹カメムシ類を捕獲するカメムシ捕獲部３とを備えている乾式のトラップであり、全体の形状は下方が広く、上方が狭い錐体型の形状をしている。カメムシ捕獲部３はカメムシ誘引部２の上方に配置されており、下方の漏斗部４と上方の容器部５とを備えている。そして、カメムシ誘引部２は４枚のスカート板１１，１１…を組み立てて構成されるスカート部を備えている。これらのスカート板は２ｍｍ程度の厚さのプラスチック板から形成され、好ましくは透光性を有するプラスチック板が用いられる。すなわち、透明でなくても、透光性を有すればよい。特に、透光性を有するプラスチック板として、適度な強度と柔軟性を有するポリプロピレン樹脂が好ましい。
【００１９】
ここで、１枚のスカート板１１について詳細に説明すると、スカート板１１は下辺部１２と上辺部１３とを有する略台形状をしており、下辺部と上辺部を連結する２つの傾斜辺部１４，１５を有している。２つの傾斜辺部の形成する角度は４０度程度に設定されている。そして、２つの傾斜辺部の下端は平行辺部１６，１６となっている。この結果、４枚のスカート板１１，１１…を連結したときにスカート部の下方には４つの隙間１７，１７…が形成される構成となっている。さらに、一方の傾斜辺部１４は直角に折り曲げられた連結辺部１８となっており、固定ピン等の固定具が挿入される貫通孔１９，１９…が形成されている。そして、他方の傾斜辺部１５に沿って貫通孔１９，１９…に対向する貫通孔２０，２０…が形成されている。４枚のスカート板１１，１１…は、他方の傾斜辺部１５を隣接する連結辺部１８に重ねて固定ピン等の固定具２１で連結される。固定具２１としては、固定ピンのほかに割りピン、ビスとナット、蝶ねじ等、適宜の固定手段を用いることができる。
【００２０】
また、上辺部１３から上方に、カメムシ捕獲部３を構成する漏斗部４と結合するためのフック部２２が突出形成されている。フック部２２はスカート板１１の本体部分と２０度程度の角度で屈曲され、この捕獲器１が組み立てられたとき鉛直方向に伸びる鉛直部２２ａと、この鉛直部から水平方向に延びる水平鉤部２２ｂとを備えている。このフック部２２はスカート板１１と一体に形成され、弾性を有するプラスチック板により、内側に湾曲できる構成となっている。
【００２１】
スカート板１１の中央には貫通孔２３が形成されており、スカート板の表面に止まった果樹カメムシ類は貫通孔２３を通してスカート板の裏面に移動することができる。４枚のスカート板１１，１１…は、一例として透明なポリプロピレン樹脂から形成されており、その表裏面には凹凸加工として粗面仕上げとしたエンボス加工が施されている。本実施形態では、表面粗さＲａ＝３．３μｍ程度となるように粗面仕上げを施している。なお、表面粗さは前記の例に限られず、Ｒａ＝３．０〜４．０μｍ程度で適宜設定できることは勿論である。４枚のスカート板１１，１１…は果樹カメムシ類が移動する経路を構成する。
【００２２】
カメムシ誘引部２は４枚のスカート板１１，１１…から形成されるスカート部の上側に、カメムシ捕獲部３として上方につぼまる、すなわち上方に向けて先細り断面積が小さくなる漏斗部４と、容器部５とを有している。漏斗部４は、後述する集合フェロモンによって誘引された果樹カメムシ類を集中させてカメムシ捕獲部３の容器部５へ誘導する機能を有するものであり、下方の四角柱状の導入部４１と、その上に連続する中央の四角錐台状の先細部４２と、その上に連続する上方の四角柱状の通路部４３とから構成される。すなわち、漏斗部４は下方の大形の四角柱状の導入部４１の上に四角錐台状の先細部４２が連続し、さらにその上に小形の四角柱状の通路部４３が連続して上方に向けてつぼまる形状をしており、内部空間が先細りとなっている。
【００２３】
漏斗部４の下方の四角柱状の導入部４１には外周側に向けて、この捕獲器を吊るすためのつば部４４が突設されており、このつば部にはロープ等が挿入される孔４５が形成されている。また、四角錐台状の先細部４２の上端には三角形状の受け板４６が固着され、この受け板の上辺が後述するカメムシ捕獲部３の容器部５の底面を受ける構成となっており、容器部を安定して支持することができる。このように構成された漏斗部４の内面は、誘引された果樹カメムシ類が移動する経路を構成し、漏斗部の内面、すなわち導入部４１、先細部４２、通路部４３の内面にはスカート板と同様の凹凸加工が施されている。
【００２４】
漏斗部４の四角錐台状の先細部４２の傾斜面には、スカート板１１，１１、…の上方に突出するフック部２２，２２…の水平鉤部２２ｂが挿入されるスリット４７，４７…が形成されている。したがって、漏斗部４のスリット４７，４７…にスカート板１１，１１、…のフック部２２，２２…が挿入されることで漏斗部４にカメムシ誘引部２が吊り下げられ、連結される構成となっている。フック部２２，２２…の内面も、誘引された果樹カメムシ類が移動する経路を構成し、この内面にはスカート板と同様の凹凸加工が施されている。
【００２５】
カメムシ捕獲部３の容器部５は四角柱状の容器本体５０と、この容器本体の上方開口を覆う蓋部６０とを備えている。容器本体５０は中央部に容器本体を上下に貫通する四角柱状の通路部が形成されている。この通路部は漏斗部４の上部に突出する四角柱状の通路部４３が内嵌するような大径筒部５１と、これより小径の小径筒部５２とを有しており、全体の高さは容器本体５０の高さより小さく設定されている。したがって、容器本体５０に蓋部６０を被せた状態で小径筒部５２は蓋部の内面と離れ、果樹カメムシ類が通過できる隙間が形成されており、容器本体５０の内部空間は漏斗部４の内部空間と連通している。小径筒部５２の内面は、誘引され通路部４３を通過した果樹カメムシ類が移動する経路を構成し、この内面にもスカート板と同様の凹凸加工が施されている。なお、小径筒部５２と連続する大径筒部５１の内面も凹凸加工を施してもよい。
【００２６】
容器本体５０の底面には、捕獲された果樹カメムシ類が逃げ出せない程度の直径の、例えば２ｍｍ程度の通気用の多数の孔５３が配列されている。そして、容器本体５０の上部には外方に延出するフランジ部５４が形成され、フランジ部の上面には８個の半球状の突起５５が形成されている。このため、容器本体５０と蓋部６０とは突起５５が接触することでフランジ部５４と蓋部６０の内面とは離れており、通気用の孔５３とともに容器本体５０内部の通気が可能な状態となっている。
【００２７】
容器本体５０の上方に位置する蓋部６０は、平板部６１の外周から壁部６２が垂下され、この壁部の内部に容器本体のフランジ部５４が隙間を空けて嵌合される構成となっている。また、平板部６１の底面から下方に４つの押さえ突部６３，６３…が形成され、これらの押さえ突部は容器本体５０の内周面に接触するように設定されている。このため、蓋部６０を容器本体５０に被せた状態では押さえ突部６３，６３…が容器本体の内周面に接触して係止されて、容易に脱落しない構成となっている。これにより、容器本体５０内に捕獲された果樹カメムシ類の脱出が防止される。容器本体５０は透明の樹脂で形成することが好ましく、これにより容器本体内部に捕獲された果樹カメムシ類の量を容易に把握することができる。また、蓋部６０も透明の樹脂で形成すると好ましい。
【００２８】
捕獲器１には果樹カメムシ類を誘引するための集合フェロモン剤７０が取り付けられる。集合フェロモン剤７０は集合フェロモンを含浸させたチューブタイプのものが使用される。集合フェロモンはチャバネアオカメムシのオス成虫が放出する集合フェロモンの主成分と同等のものであり、この集合フェロモンは、チャバネアオカメムシの他、ツヤアオカメムシおよびクサギカメムシ等の果樹カメムシ類を誘引することができる。
【００２９】
集合フェロモン剤７０は集合フェロモン剤吊棒７１と、集合フェロモン剤支持棒７２とから構成されるＴ型の支持体に巻き付けて支持されている。集合フェロモン剤吊棒７１が小径筒部５２の上端に載置され、集合フェロモン剤支持棒７２は小径筒部５２、漏斗部４の通路部４３、先細部４２、導入部４１内に垂下され、その下端部はスカート部２の中心部に位置している。このように、集合フェロモン剤７０は、カメムシ誘引部２を構成するスカート板１１，１１…の内側に配置される。なお、集合フェロモン剤の位置は、スカート板の内部であればどの位置でもよく、例えば、スカート板１１の貫通孔２３の周囲にクリップのように挟んで固定し、一部をスカート板の外部に突出させて支持してもよい。このように構成された集合フェロモン剤７０を支持する吊棒７１と支持棒７２とは、果樹カメムシ類が誘引されて上方へ移動する経路を構成する。したがって、集合フェロモン剤吊棒７１および集合フェロモン剤支持棒７２も、スカート板１１，１１…と同様に表面に凹凸加工が施されると好ましい。
【００３０】
前記の如く構成された本実施形態の果樹カメムシ類の捕獲器１の組立動作について以下に説明する。先ず、図４に示されるように、２枚のスカート板１１，１１の連結辺部１８と対向する傾斜辺部１５とを重ね、貫通孔１９，２０に固定ピン等の固定具２１を挿入して２枚のスカート板１１，１１を連結する。ついで、３枚目のスカート板１１の傾斜辺部１５を２枚目のスカート板１１の連結辺部１８と重ねて貫通孔に固定具２１を挿入して連結する。最後に、４枚目のスカート板１１の連結辺部１８を３枚目のスカート板１１の傾斜辺部１５に重ねて貫通孔に固定具２１を挿入し、残りの傾斜辺部と連結辺部との重なり部の貫通孔に固定具２１を挿入して４枚のスカート板１１，１１…を連結して四角錐台状のスカート部を構成する。４枚のスカート板１１，１１…は平板状であり、重ねて搬送することができるため捕獲器１の移動や設置が容易に行える。
【００３１】
このように構成されたスカート部は、下端部分に４つの隙間１７，１７…が形成される。これらの隙間を通してスカート板１１の表面に止まった果樹カメムシ類は裏面側へ移動することもできる。スカート部を構成する４枚のスカート板は上方に４つのフック部２２，２２…が突出しているので、このフック部の外側に上方から漏斗部４を被せるとフック部は漏斗部の傾斜面に当接し、漏斗部４を下方に押し付けると各フック部は内側に僅かに弾性変形し、水平鉤部２２ｂがスリット４７に嵌合して漏斗部４とスカート板１１，１１…は連結される。このあと、漏斗部４の上部の通路部４３の外周にカメムシ捕獲部３の容器部５を嵌め込む。容器部５の容器本体５０は四角柱状の通路部４３が大径筒部５１に嵌合するため、漏斗部４の上に安定した状態で設置することができる。
【００３２】
このように構成された本実施形態の果樹カメムシ類の捕獲器１は、上下方向の中央に位置する漏斗部４の上方の四角柱状の通路部４３にカメムシ捕獲部３の容器部５が外嵌され、容器部の容器本体５０の上部に蓋部６０が被せられる。そして、漏斗部４のスリット４７にスカート板１１，１１…のフック部２２，２２…が挿入されてスカート部が吊り下げ状態に連結され、全体の高さが５０ｃｍ程度に組み立てられる。このようにして組み立てられた捕獲器１は、漏斗部４の外周から突出するつば部４４にロープ７５等が結ばれ、このロープ７５で吊り下げて使用される。そして、集合フェロモン剤７０がカメムシ誘引部２を構成するスカート板１１，１１…の内部に吊下げ支持される。本発明の捕獲器は、竿や木の枝等に吊下げて設置でき広域に多数設置できるため、果樹カメムシ類等の発生予察等が容易に実施できる。
【００３３】
捕獲器１は果樹園から５０〜１００ｍ離れた平坦で風通しのよい、かつ、見通しのよい位置に設置されることが好ましい。このような距離に設置することで、集合フェロモン剤７０に誘引された果樹カメムシ類による果樹園への被害を防ぐことができる。また、捕獲器１は集合フェロモン剤７０が地上から１５０〜１６０ｃｍの高さに位置するように設置されることが好ましい。
【００３４】
捕獲器１の内部に集合フェロモン剤７０を吊り下げると、果樹カメムシ類はこれに感応して誘引されて飛来し、カメムシ誘引部２のスカート板１１に止まる。果樹カメムシ類はフェロモン源の周辺に止まった後、上方向に歩行移動する習性があるためスカート板１１に沿って上昇移動する。果樹カメムシ類は隙間１７や貫通孔２３を通してスカート板１１の裏面側に移動することができる。スカート板１１の表裏面には凹凸加工が施され、果樹カメムシ類はスカート板１１の表裏面を落下することなく上昇することができるため、スカート板に止まった果樹カメムシ類は殆どすべてが経路であるスカート板の表裏面に沿って上昇し、フック部２２，２２…を伝って漏斗部４に導かれる。
【００３５】
漏斗部４に導かれた果樹カメムシ類は漏斗部の内周面に沿って上昇し、導入部４１、先細部４２、通路部４３を通って集められ、容器本体５０の小径筒部５２を通って移動する。導入部４１、先細部４２、通路部４３、小径筒部５２も凹凸加工が施されているため、果樹カメムシ類は落下することなく上昇できる。容器本体５０には通気用の多数の孔５３が設けられているため、容器部５の内部の温度上昇が防止され、果樹カメムシ類は活発に歩行移動することができる。小径筒部５２の上端に到達した果樹カメムシ類は行き場を失い、上端面を乗り越えてカメムシ捕獲部３の容器本体５０内に落下する。落下した果樹カメムシ類は容器本体５０に入れられた殺虫剤によって捕殺され、容器本体５０には通気用の多数の孔５３が設けられているため、捕獲された果樹カメムシ類が腐敗、破損することはない。
【００３６】
ここで、スカート板の設置角度に対する表面の滑りやすさと、クサギカメムシ成虫を歩行移動させたときの落下度の比較について、表１を参照して説明する。表１に記載の面粗度０は、プラスチック板の表面を研磨せず、板材製造時の板材の表面状態を示しており、表面粗さは０．１０１μｍであった。面粗度１は板材の表面を軽く研磨し、表面粗さは１．２０３μｍであった。また、面粗度２は板材の表面を凹凸が出るように研磨し、表面粗さは３．３０９μｍであった。そして、クサギカメムシのオスとメスを、角度が６０°、９０°、１２０°と１３５°に傾斜させたプラスチック板に付着させ、落下する割合を比較した。
【００３７】
表１から明らかなように、オスの場合、面粗度０では角度が６０°のとき５０％が落下し、角度が９０°のとき６６．７％が落下した。面粗度１では角度が６０°のとき落下したのは０％であり、角度が９０°のとき７７．８％が落下した。また、面粗度２では、角度が６０°、９０°のとき落下せず、すべてのオスのカメムシが安定して歩行移動した。そして、メスの場合、面粗度０では角度が６０°のとき６０％が落下し、角度が９０°のとき５０％が落下した。面粗度１では角度が６０°の３０％が落下し、角度が９０°のとき６６．７％が落下した。また、面粗度２では、角度が６０°のとき落下せず、角度が９０°のとき５．６％が落下した。このように、表面粗さを面粗度２の約３μｍ程度とすることにより、果樹カメムシ類のカメムシ誘引部における落下を防止でき、捕獲数を大幅に増やすことが確認できた。また、逆傾斜のオーバーハング状態である１２０°、１３５°の場合でも、同様に面粗度が２の表面粗さが３μｍ程度になると落下率は大幅に低減する傾向が明らかであった。
【００３８】
【表１】
2008161090.tif 000003
【００３９】
ここで、本実施形態の果樹カメムシ類の捕獲器１と、従来の特許文献１に示される旧型捕獲器によるチャバネアオカメムシとツヤアオカメムシを捕獲した数量について、表２を参照して説明する。表２は、集合フェロモン剤７０を捕獲器１のスカート板内部に吊るし、屋外にて１５０日間、経過したときの個体数を示している。旧型捕獲器では、チャバネアオカメムシのオス８６匹、メス１５７匹、合計２４３匹に対して、本発明の捕獲器１ではチャバネアオカメムシのオス２３０匹、メス３９９匹、合計６２９匹であった。また、ツヤアオカメムシについては、旧型捕獲器ではオス２１匹、メス２５匹、合計４６匹であったのに対し、本発明の捕獲器１ではオス１０２匹、メス９８匹、合計２００匹であった。このように、本発明の捕獲器１では、旧型捕獲器に対して２〜４倍程度の果樹カメムシ類を捕獲することができた。
【００４０】
【表２】
2008161090.tif 000004
【００４１】
また、前記の本発明の捕獲器１と旧型捕獲器の果樹カメムシ類の回収時間を表３に示している。この表３は、捕獲器１基当たり１回の回収に要する時間を示すものである。この表３から明らかなように、果樹カメムシ類を回収する時間は、１回当たり旧型捕獲器では５２．５秒を要したのに対し、本発明の捕獲器１では１０．９秒を要するだけで、回収時間を５分の１程度に短縮できた。
【００４２】
【表３】
2008161090.tif 000005
【００４３】
さらに、本発明の捕獲器１で、スカート板と漏斗部とを黄色のプラスチック板で形成したものと、透明のプラスチック板で形成したもので果樹カメムシ類の捕獲数を比較した。表４で示されるように、黄色のプラスチック板の場合は、チャバネアオカメムシのオスは８８匹、メス１３２匹で合計２２０匹であるのに対し、透明のプラスチック板の場合は、チャバネアオカメムシのオスは２３０匹、メス３９９匹で合計６２９匹であった。また、ツヤアオカメムシでは、黄色のプラスチック板の場合は、オス３２匹、メス３５匹で合計６７匹であったのに対し、透明のプラスチック板の場合は、オス１０２匹、メス９８匹で合計２００匹であった。このように、透明のプラスチック板、すなわち、透光性を有する板材を用いることにより、捕獲数を３倍程度増やすことが可能であった。
【００４４】
【表４】
2008161090.tif 000006
【００４５】
なお、前記の実施形態では、集合フェロモン剤７０は吊棒７１と支持棒７２とから構成される支持体に巻き付けて吊り下げ支持される例を示したが、図６に示される集合フェロモン剤７０Ａのように、１枚のスカート板１１の上辺部１３に引掛けられた針金、ひも等も支持具７４の下端にＵ字状に湾曲させて吊下げられ、スカート板１１の貫通孔２３から見える位置に配置させるように構成することもできる。
【００４６】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、カメムシ誘引部を４枚のスカート板から構成する四角錐台状とし、中間の漏斗部も四角錐台状とし、上方の容器部を直方体状の例を示したが、カメムシ誘引部を円錐台状とし、中間の漏斗部も円錐台を基本とする形状とし、上方の容器部を円柱状として構成することもできる。このように、果樹カメムシ類を下方で誘引し、上方に向けて先細りのカメムシ捕獲部を有する形状であれば、どのような形状でもよい。
【００４７】
スカート板の凹凸加工としてエンボス加工の例を示したが、やすりによる粗面加工処理や、サンドブラスト法による表面処理加工を用いることもできる。さらに、ローレット加工による表面処理を行って、果樹カメムシ類の上方への歩行移動時の落下を防止するものでもよい。
【産業上の利用可能性】
【００４８】
本発明の活用例として、カメムシ誘引部やカメムシ捕獲部に発光ダイオード等の光源を用いることができ、光源を取り付けることによって、さらに多くの果樹カメムシ類を捕獲することができる。また、果樹カメムシ類の捕獲に限らず、他の害虫の捕獲の用途にも適用できる。
【図面の簡単な説明】
【００４９】
【図１】本発明に係る果樹カメムシ類の捕獲器の一実施形態の斜視図。
【図２】図１の捕獲器の要部を分解した状態の斜視図。
【図３】図１の捕獲器の中央縦断面図。
【図４】スカート板の組立状態を示す要部斜視図。
【図５】捕獲器の使用状態を示す斜視図。
【図６】集合フェロモン剤をスカート板内に配置する他の例を示す要部斜視図。
【符号の説明】
【００５０】
１：果樹カメムシ類の捕獲器、２：カメムシ誘引部、３：カメムシ捕獲部、４：漏斗部、５：容器部、１１：スカート板（経路）、２１：固定具、４１：導入部（経路）、４２：先細部（経路）、４３：通路部（経路）、５０：容器本体、５１：大径筒部、５２：小径筒部（経路）、５３：孔（通気用の開口）、６０：蓋部、７０，７０Ａ：集合フェロモン剤、７５：ロープ
【図１】
2008161090.tif 000007
【図２】
2008161090.tif 000008
【図３】
2008161090.tif 000009
【図４】
2008161090.tif 000010
【図５】
2008161090.tif 000011
【図６】
2008161090.tif 000012